(57)【要約】【課題】  家具の引き出しは、動きを円滑にする為のみに走り地震時の飛び出しを気にせず、スライドレールが主流となり飛び出し易くなっている為、地震時には家具が倒れ易く危険が増す、又目障りでもある。【解決手段】  前方にＬ字型突出部と、後方に水滴型の空間を有する薄板を入れたことにより、球体の少回転で前記薄板の突出部が前記長方形の箱上面の切り欠け部より早く、高く出ることが出来、家具における引き出し又は開き戸内の飛び出し具を小型化した。小型化により前記地震時に突出部を突き出させる長方形の箱を外見では見えず家具のデザインを壊さないよう家具の側板受け桟及び引き出しの側板底部に組み込むことが出来た、又前記飛び出し自動防止具を開き戸にもつけられる家具の引出し又は開き戸内の飛び出し自動防止具を提供する。【選択図】        図２
2009097304.tif 000002
【特許請求の範囲】
【請求項１】
後方より前方がわずかに高い傾斜した底面を有する長方形の箱の中に自由に回転が出来る球体と、その球体の上方から前方の先部が上方に向けて略Ｌ字型に屈曲した突出部を持ち、後方から前方に向って前記球体の直径よりも小さな円錐状の水滴型の開口を有する薄板を重ねて入れ、更に前記長方形の箱の上面に前記薄板の突出部が前記球体の移動により出退可能にした切り欠け部を前方に有する蓋を被せたことを特徴とする引き出し又は開き戸内の飛び出し自動防止具。
【請求項２】
請求項１に記載の家具の引き出し又は開き戸内の飛び出し自動防止具が、家具の側板受け桟内部に面一に組み込まれ、引き出しの底部に前記薄板の突出部を受け止める略台形型の凹部を設けたことを特徴とする引き出し。
【請求項３】
請求項１に記載の家具の引き出し又は開き戸内の飛び出し自動防止具が組み付けられた取り付け用の台座部が、開き戸の天井部に取り付けられ、前記開き戸の扉内面に前記の長方形の箱の蓋より出退する前記薄板の突出部を、受け止める略台形型の凹部を持つ受け止め具を設けことを特徴とする開き戸。
【発明の詳細な説明】
【技術分野】
【０００１】
本発明は、地震時における揺れによる引き出しの飛び出しや開き戸の扉が開放するのを自動的に防止する装置に関するものである。
【背景技術】
【０００２】
家具類の引き出しや扉は、日常頻度に使用され開閉の容易さ等が重点に考慮されて便利に使用する為に引き出しの動きを球体や車輪により円滑にするスライドレール式のものが主流になりつつあり、多くの力を要せずに出し入れが円滑に出来るように製作されている。
その為に、地震等の揺れに対応して引き出しの飛び出しを防止するものは少ない。
例えば、引き出しの飛び出し防止装置としてはスライドレールの先を向う（背）板に取り付けたゴムの凹部で受け止めるものもあるが引出すときに多少の力が必要でわずらわしいので大部分がゴムの部分を取り外している状態で、取付けて無いに等しい。
従来の飛び出し防止装置は家具側板受け桟内に組み込む考えはないため総じて大きい。
一例として特願２００１−０６１１１７は大小２つの球体と２列の回転道を要する仕組みで大きく複雑で受け桟内に組み込むのは難しい。
又開き戸においても蝶番が改良され開閉自在となった扉に収納物が倒れたり動いて扉を押し開けて散乱するのは同様に危険である。
【特許文献１】特願２００１−０６１１１７号公報
【発明の開示】
【発明が解決しようとする課題】
【０００３】
本発明が解決しようとする課題は、従来のスライドレール式の家具では  地震等の揺れで引き出しが前方に勢い良く滑出しやすく、家具の前方が重く後方の家具本体が空となり倒れなくても良い家具が倒れその被害の大きくなることは事後いつも問題とされている。
又、特許文献１の装置は大小２ヶの球体を用い、球体の転動する道が２列を要し、複雑な構造の為小型化は出来ず側板受け桟内に組み込み取付けることは不可能である。
本発明はこれらを解決した引き出しや開き戸に使用する飛び出し自動防止具を提供する。
【課題を解決するための手段】
【０００４】
底面の前方を後方よりわずかに高くした傾斜を有する長方形の箱の中に回転が自由に出来る球体と、その球体の上方から前方には先部が上方に向けて略Ｌ字型に屈曲した突出部を持ち、後方には後方から前方に向って前記球体の直径よりも小さな円錐状の水滴型の開口を有する薄板を重ねて入れ、更に前記長方形の箱の上面に前記薄板の突出部が前記球体の移動により出退可能にした切り欠け部を有する蓋を被せたことを特徴とする引き出し又は開き戸内の飛び出し自動防止具。
以下本発明の飛び出し自動防止具の作用を説明する。
本発明の自動飛び出し防止具は前記箱の底面は後方より前方が少し高い傾斜の為、この箱に入れられた球体は平常は底面の後部に待機しており、一端揺れて箱の後方がわずかでも上がると、素早く球体が前方に転動しながら坂道を登りつめると底面の高低差だけ待機場所より高い場所に位置する。
前記球体の上には薄板が乗せられており、乗せられた薄板は前方に略Ｌ字型に屈曲した突出部を持ち後方に円錐状の水滴型の空間があり水滴型空間の最も広い部分で球体は略上半球を出して待機している。
そのため前記薄板先部の略Ｌ字型突出部は蓋に設けた切り欠け部より球体の移動に応じて出たり入ったりする。
前記薄板先部の略Ｌ字型突出部は箱の蓋上面の切り欠部で上面すれすれに頭を覗かせるための高さの台を設置しておくと良い。
作用を更に詳細に説明すると揺れによる球体の回転移動と共に重ねられた薄板も上昇するが、薄板に円錐状水滴型空間がある為に球体の上方に重ねられた薄板の空間が球体の回転と共に序々に狭くなり、当初球体の中間にあった薄板が最後は球体の頭上まで上がりきることにより球体の略半径の高さが床面の高低差にプラスされて薄板は上昇する。
このように薄板に円錐状の水滴型空間を開けたこれにより、球体の同じ転動回数で床面傾斜の高低差の約２倍の高さに、又２倍の速さで薄板前方の略Ｌ字型に屈曲した突出部が素早く前記の箱の蓋上面の切り欠け部より突き出る。
その突出部を引出しの底に当てて引き出しの運行を止める。
【０００５】
前記の家具の引き出し又は開き戸内の飛び出し防止具が家具の側板受け桟の上面に、面一に組み込まれ受け桟と一体となり、引出しの側板底面には前記薄板の突出部を受け止める略台形型の凹部を設けた家具の引出しを提供することが出来る。
なお、前記家具の側板受け桟に組み込まれた家具の引き出し又は開き戸内の飛び出し自動防止具の箱の蓋上面の切り欠け部より突き出る略Ｌ字型の突出部を、確実に受け止める為に略台形型の凹部を持つ受け具を引き出しの底面に取付けることにより、引き出しの凹部は突出部により削られること無く長く効果を維持し使用できる。
【０００６】
前記引き出し又は開き戸内の飛び出し自動防止具の長方形の箱を組み込んだ取り付け用の台座部が、開き戸の天井に取付けられ、又前記開き戸の扉の内面には前記の長方形の箱より出退する薄板の略Ｌ字型突出部を受け止める略台形型の凹部を持つ柱状細長の受け止め具を設けた家具の開き戸を提供することが出来る。
【発明の効果】
【０００７】
小さな球体とその上に乗せられた薄板の円錐状水滴型空間により、短い距離内で前記薄板の略Ｌ字型の突出部を蓋の上面より高く上げることが出来るし、家具の側板受け桟に組み込まれるほど小型化することが出来る。
【０００８】
なお、小型化された本発明の前記長方形の箱は、家具の側板受け桟内部に面一に組み込むことにより、平常は引き出しを出し切らなければ目に付かず、家具のデザインを壊さない。
【０００９】
前記の家具の側板受け桟に組み入れた、長方形の箱の切り欠部より出退する略Ｌ字型の突出部を受け止める略台形型の凹部を持つ柱状細長の受け止め具も引き出しの側板の底面に組み込まれ前記長方形の箱同様に目に触れることなく家具のデザインを壊さない。
【発明を実施するための最良の形態】
【００１０】
前記長方形の箱はプラスチック、軽金属等比較的強度を有し容易に成型できるものが望まれ、家具側板の受け桟内に組み込み固定するため小型化が必要で開き戸の扉にも利用する為本発明の本体は軽量に２〜４グラム位に収め、幅、高さは共に１０ミリ前後に長さは５０ミリ前後に収めたい。
【００１１】
以下、本発明を実施例となる各図面にもとづいて順次説明する。
【実施例１】
【００１２】
図１は、前部を１．ミリ〜２ミリぐらい高くした傾斜のある床面７を持つ長方形の箱６に球体９を入れた。
そして前方先部に略Ｌ字型に上に向って屈曲した突出部１１を持ち後方に円錐状水滴型の開口部１２を有する薄板１０を前記球体９に重ねて置き、前記の屈曲した略Ｌ字型突出部１１が楽に出るように切り欠け部８を開けた蓋１７を被せて固定した。
蓋１７を含み箱６の周囲の厚みは０.５ミリ〜２ミリ程度に収め、材質は硬質の樹脂で良く、又、軽金属でも良い。    
入れられる球体９は直径５ミリ〜８ミリぐらいの鋼鉄、軽金属、ガラス、硬質樹脂等堅固であれば良い。
薄板１０は０.３ミリ〜０.５ミリの厚みで略Ｌ字型の突出部１１の高さは４ミリ前後で良い。
突出部１１の頂点は平常時は蓋１７の上面より上に出てはならない。
その為に突出部１１の略Ｌ字形屈曲部の下部に台３０を置き調整することも考えられる。
これにより球体９の初動に掛る薄板１０の加重による負担が減る。
円錐状水滴型の開口部１２の最も広い部分２５は球体９の直径よりほんの少し０．１〜０．２ミリぐらい小さく、開口部１２の先端２４は最も広い部分２５から球体９が１〜２回転ぐらいした前方に位置しする。
（一例として球体９の直径を５ミリとすると一回転が円周率を掛け約１６ミリとなる。）
更に空間の先端部２４より１回転ぐらい空間なしで延ばして略Ｌ字型に突出部１１を上方に向け略Ｌ字型に屈曲させる、又、薄板１０の広さは箱６内で自由に上下出来る大きさであれば良く、薄板１０の材質は弾力ある鋼板が望ましい。
【実施例２】
【００１３】
図２（Ａ）は、平常時の家具の両側板１受け桟３の上面に面一に引き出し又は開き戸内の飛び出し自動防止具５の長方形の箱６を組み入れ固定したことを示した図である。
図２（Ｂ）は、図２（Ａ）の拡大透視斜視図で前記受け桟３に組み込まれた箱５内を透視し球体９と薄板１０の円錐状水滴型開口部１２と先部の略Ｌ字型突出部１１及び箱の蓋１７上面の切り欠け部８の平常時の位置関係を示している。
前記側板１受け桟３に組み入れ固定する為に、本発明の引き出しの飛び出し自動防止具５は前述したように出来れるだけ小型化が望ましい。
【実施例３】
【００１４】
図３は、前記記載の本発明の引き出し又は開き戸内の飛び出し自動防止具５が面一に組み込まれた家具側板１受け桟３の上を滑りながら出入りする引き出しの側板１５の底部１６に略台形型の凹部１４を持つ受け止め具１３を取付けた前記受け桟３と前記自動飛び出し防止具５の箱６の蓋１７の切り欠け部８より出退する薄板１０の略Ｌ字型突出部１１とその水滴型空間１２を持つ薄板１０を押し上げる箱６内の球体９の移動位置、及び前記引き出しの側板１５底面１６に取付けた受け具１３の略台形型凹部１４等の動きと位置関係を示している。
図３（Ａ）は、平常時の水平に置かれた家具の引き出しが最後まで押し込まれた状態の引き出し又は開き戸内の飛び出し自動防止具５と、その受け止め具１３の関係をを示し、前記略Ｌ字型の突出部１１の真上に引き出しの側板１５の底面１６の略台形型凹部１４の一番深いところが位置し、薄板１０の略Ｌ字型突出部１１は蓋１７の切り欠け部８の上面まで頭を出し台３０に乗っている。
球体９は後方最低の床面７にあり薄板１０の水滴型開口部１２の一番広い空間部２５より球体９のほぼ上半球を出して待機している。
図３（Ｂ）は、ひとたび地震等の揺れで箱６の後方が上がると直ちに球体９は前記薄板１０を押し上げながら底面７前方に転動して行き坂を登りつめる。
転動するにつれ重ね置かれた薄板１０の開口部１２が水滴型の為に球体９が進むにゆれ、空間１２の最も広い所２５から先端の空間１２が無くなる所２４まで、段々と狭くなり、当初球体９の中央部にあった薄板１０が段々に球体９の頭上に上昇、水滴型の空間１２が無くなった時点２４では薄板１０は完全に球体９の頭上に乗り上げる。
薄板１０は球体９の頭上を支点にして薄板１０の略Ｌ字型の突出部１１は引出し側面１５の底部１６に組み込まれた受け止め具１３の略台形型凹部１４の浅くなる部分に引っかかり引き出しが出ようとする上からの重力に押し込まれ少し湾曲する程度が効果があり開放されたときの復元力が出る。
箱の底面７の傾斜の高低に加え水滴型の開口部１２の幅の大２５、小２４が更に薄板１０を押し上げ突出部１１を短い距離で蓋１７からより高く突出させることが出来る。
家具を平常の水平状態に戻すと略Ｌ字型の突出部１１の位置が前記凹部１４の一番深い位置の真下に位置して上部より抑えるものがなくなり、球体９は後方の低い底面７に戻り、薄板１０の水滴型空間１２の一番広い空間２５が球体９の上半球の上に重なった当初の状態に返るので薄板１０の突出部１１は箱６の蓋１７の切り欠け部８の上面まで戻り引き出しは平常どうり円滑に出し入れが出来る。
引き出しの側板１５が堅牢な素材の場合は底部１６には凹部１４を持つ受け具１３を必ずしも取付けなくても良いが、素材が柔らかくて削られる恐れのある場合は必要であり、略台形型凹部１４を連続して設けた受け具１３とするも良い。
凹部１４の深みは突出部１１が箱６の蓋１７より飛び出る高さよりも深くなければならないしその幅は突出部１１の幅より２ミリ〜３ミリ以上多く取り、深みは後部に向け徐々に浅くなり、４ミリ〜６ミリ程度で凹部１４は無くなる。                      
【実施例４】
【００１５】
図４（Ａ）が示すのは、引出し又は開き戸内の飛び出し自動防止装置５とその取り付け用台座具２１である。
飛び出し自動防止具５の長方形の箱６が入るようにくり抜いた空間部２６とその上部に柱状細長の略台形型の凹部１４を有する受け止め具２３が出入りできる為の開口部２７を更にくり抜いた二階建ての空間２６，２７を持つ容器を飛び出し自動防止具５の取り付け用台座２１として下方のくり抜いた空間部２６に前記箱６を差し込み固定して開き戸棚１８の開放面に近い天井１９に取り付ける。
図４（Ｂ）は、取り付け用台座具２１に挿入固定された箱６より突き出る略Ｌ字型突出部１１を受け止める略台形型凹部１４を有する柱状細長の受け止め具２３の受け止め用台座具２２である。
この扉用受け止め具２３は取り付け用台座２２に固定されて開き戸１８の扉２０の内面に取り付ける。
取付けに際しては開き戸棚１８の天井部１９の取付け用台座具２１の下の空間２７内に挿入固定された前記箱６の蓋１７の上面を滑るように扉用受け止め具２３が出入りできる上の空間２７に合わせた位置に取付ける必要がある。
柱状細長の扉用受け止め具２３は扉２０面より飛び出し自動防止具５の箱６の蓋１７の切り欠け部８に凹部１４のもっとも深い部分が合うようにする長さが必要で幅は５ミリ前後で堅牢な材料で無ければならない。
なお、扉２０を閉めたとき扉用受け止め具２３の略台形型凹部１４は前記箱６の蓋７より突き出る略Ｌ字型の突出部１１が略台形型凹部１４の一番深い位置にあわせておく必要があるのは引き出しの場合と同じである。
図４（Ｃ）は前記の長方形の箱６を開き戸１８の天上面１９に又、扉用受け止め具２３を扉２０の内面にそれぞれの取り付け用台座具２１，２２により所定の位置に取り付けられたことを示している。
前記取り付け用台座具２１と細長の柱状扉用受け止め具２３を突き出るように固定した取付け用台座具２２は前記の引き出し又は開き戸内の飛び出し自動防止具５の箱６部分に使用された材料と同じ材質で良く、成型しやすいものが良い。
天井１９の取り付け用台座具２１の大きさは前記長方形の箱６とその上面に受け具の出入りする部分とを持つため高さ２５ミリ幅２０ミリ長さ７０ミリ程度を必要とし、扉用取付け台座２２は略台形型凹部１４を持ち柱状に突き出た扉用受け具２３を支える最小の大きさの幅１５ミリ高さ２０ミリ程度厚みはしっかり支える為５ミリ以上とするのが望ましい。
前記両取り付け用台具２１，２２の取付ける部分は両面接着可能にしておくと取り付けが楽で、且つ相対する位置を決め易い。
取り付けの最後は念のためにネジ釘で止めるのが良い。
又前記両取付け用台座具２１、２２の相対する前面部分２８、２９にそれぞれ磁石を取付け、磁石の吸引力により開き戸棚１８の普段の開閉を手に実感させると共に地震時には扉２０の開く初動を遅らせることも良い。
【図面の簡単な説明】
【００１６】
【図１】は、本発明の組み立て順の斜視説明図
【図２】（Ａ）は、受け桟に本発明を組み入れた斜視図            （Ｂ）は、（Ａ）の部分拡大透視斜視図
【図３】（Ａ）は、受け桟に組み込まれ、通常引き出しが最後まで押し込まれた状態の内部断面図              （Ｂ）は、（Ａ）の、家具が前部に傾いた状態を示す引き出しの各関係内部断面図
【図４】（Ａ）は、飛び出し防止具の箱を内蔵する取付け用台座具の斜視図            （Ｂ）は、略台形型凹部を備えた扉用受け止め具の取り付け用台座具の斜視図            （Ｃ）は、開き戸の天井と扉に取り付けられた飛び出し防止具の斜視図
【符号の説明】
【００１７】
１        家具の側板
２        家具の向う（背）板
３        家具の側板受け桟
４        家具の向う（背）板受け桟
５        引き出しの飛び出し自動防止具
６        箱
７        箱の床面  
８        箱の蓋上面の切り欠け部
９        球体
１０      薄板
１１      薄板の突出部  
１２      薄板の円錐状水滴型開口部
１３      突出部の受け止め具
１４      受け止め具の略台形型凹部
１５      引き出しの側板
１６      引き出しの底部
１７      箱の蓋
１８      開き戸棚
１９      開き戸棚天井
２０      開き戸棚の扉
２１      天井用取付け用台座具
２２      扉用取付け用台座具
２３      扉用受け止め具
２４      水滴型空間の先端部
２５      水滴型空間の最も広い部分
２６      開き戸用取り付け用台座下の空間（箱を入れる）
２７      開き戸用取り付け用台座上の空間（扉用受け止め具の出入り場）
２８      開き戸用取り付け用台座の前面磁石取付け箇所
２９      扉用取り付け用台座の前面磁石取付け箇所
３０      台      
【図１】
2009097304.tif 000003
【図２】
2009097304.tif 000004
【図３】
2009097304.tif 000005
【図４】
2009097304.tif 000006